(57)【要約】【課題】紫外線の少ない夜間における視認性を有し、夜間に光の照光範囲を制御したり、部分照光を可能にし、紫外線の多い所で、十分な遮光効果を発揮することができるフォトクロミック機能付遮光フィルムを提供する。  【解決手段】ルーバー層１１０と、ルーバー層１１０の片面に積層して接着層１３０によって接着される透明保護層１２０と、ルーバー層１１０の他方の面に形成された粘着層１４０とを備え、ルーバー層１１０、透明保護層１２０、接着層１３０及び粘着層１４０は、それぞれ、可撓性を有するフィルム状とし、ルーバー層１１０は、複数のフォトクロミック色素を含む遮光帯１１１と複数の光透過帯１１２とが互い違いに積層され、これら遮光帯１１１と光透過帯１１２の接合面をルーバー層１１０の表面に垂直で、互いに平行となるように等間隔に配置したフォトクロミック機能付遮光フィルム。【選択図】図２
2012163905.tif 000002
【特許請求の範囲】
【請求項１】
光透過帯と遮光帯とが交互に配されたルーバー層と、
当該ルーバー層の少なくとも片側表面に接着された透明保護層とを有し、
前記遮光帯が、黒色又は有色樹脂と、フォトクロミック色素を含むことを特徴とするフォトクロミック機能付遮光フィルム。
【請求項２】
前記ルーバー層が第１ルーバー層と第２ルーバー層の２層からなり、
前記ルーバー層は、前記第１ルーバー層と前記第２ルーバー層が、前記第１ルーバー層の前記光透過帯及び前記遮光帯の方向が、前記第２ルーバー層の前記光透過帯及び前記遮光帯の方向と直交するように積層されていることを特徴とする請求項１に記載のフォトクロミック機能付遮光フィルム。
【請求項３】
前記遮光帯の前記黒色又は有色樹脂は、黒色又は暗色の、熱硬化性シリコーン樹脂又は熱硬化性ポリウレタン樹脂であることを特徴とする請求項１又は２に記載のフォトクロミック機能付遮光フィルム。
【請求項４】
前記フォトクロミック材料は、スピロラン系化合物、スピロオキサジン系化合物、ジアリールエテン系化合物、フルキド系化合物及びヘキサアリールビスイミダゾール系化合物からなる群から選択される１つ又は複数であることを特徴とする請求項１〜３のいずれか１項に記載のフォトクロミック機能付遮光フィルム。
【請求項５】
前記光透過帯は、透明の、熱硬化性シリコーン樹脂又は熱硬化性ポリウレタン樹脂であることを特徴とする請求項１〜４のいずれか１項に記載のフォトクロミック機能付遮光フィルム。
【請求項６】
前記光透過帯及び前記遮光帯は、安定剤、酸化防止剤、帯電防止剤、可塑剤のうちのいずれか１つ又は複数を含むことを特徴とする請求項１〜５のいずれか１項に記載のフォトクロミック機能付遮光フィルム。  
【請求項７】
前記透明保護層は、アクリル樹脂又はポリエチレンテレフタレート樹脂からなる紫外線透過性の透明樹脂フィルムであることを特徴とする請求項１〜６のいずれか１項に記載のフォトクロミック機能付遮光フィルム。  
【請求項８】
前記遮光帯は、３〜５０質量％のフォトクロミック色素を含むことを特徴とする請求項１〜７のいずれか１項に記載のフォトクロミック機能付遮光フィルム。    
【請求項９】
前記ルーバー層、又は前記第１ルーバー層及び前記第２ルーバー層を、厚さ０．１５〜０．２５ｍｍ、透明性７０％以上、可視角３０°〜１２０°に形成し、前記光透過帯の巾を４０〜２６０μｍに形成するとともに、前記遮光帯の幅を１０〜５０μｍに形成し、上記透明保護層の厚さを０．１〜０．５ｍｍとした請求項１〜８のいずれか１項に記載のフォトクロミック機能付遮光フィルム。
【発明の詳細な説明】
【技術分野】
【０００１】
本発明は、遮光フィルムに関する。より具体的には、ＡＴＭ、照明器具、デジタル家電、車載用途等のディスプレイに適用する光制御フィルムに関する。
【背景技術】
【０００２】
携帯電話、携帯情報端末、カード等の暗号番号入力端末等からなる情報表示体を操作する際、情報を視認するため、太陽光や蛍光灯等の不要な外光を遮断したり、コントラストを向上させたり、あるいは可視角の範囲の調整に迫られることがある。
【０００３】
これに対し、透明シリコーンゴムシートと着色シリコーンゴムシートとを交互に重ねて一体化することにより形成した防眩層を含む覗き見防止体を情報表示体に貼り付ける方法が開示されている（例えば、特許文献１参照）。
【０００４】
又、ディスプレイ装置用フィルターにおいて、外部環境光の遮蔽等のために、透明基材中に光変色性色素等の変色性色素の含まれた樹脂が層を成して、その変色性色素が所定のパターンに不可逆的に変色して外光遮蔽パターンを形成するような外光遮蔽フィルムを用いる方法が提案されている（例えば、特許文献２参照）。
【先行技術文献】
【特許文献】
【０００５】
【特許文献１】特開２００３−１３１２０２号公報
【特許文献２】特開２００９−９８６９５号公報
【発明の概要】
【発明が解決しようとする課題】
【０００６】
しかしながら、特許文献1に開示されている覗き見防止体においては、防眩層内に使用される着色シリコーンゴムの構成材料が定まれば色は固定され、又、特許文献２に提案されている外光遮蔽フィルムにおいても、光変色性色素が変色して元の色に戻らないようにしているので、外光環境が大きく変動する場合には、その変動に外光遮断効果が追随しないという問題がある。
【０００７】
そこで、本発明は上記問題点に鑑みなされたものであって、（い）紫外線の少ない夜間における視認性を有し、（ろ）夜間に光の照光範囲を制御したり、部分照光を可能にし、（は）紫外線の多い所で、十分な遮光効果を発揮することができるフォトクロミック機能付遮光フィルムを提供することを目的とする。
【課題を解決するための手段】
【０００８】
このような目的は、下記（１）〜（９）の本発明により達成される。
【０００９】
（１）光透過帯と遮光帯とが交互に配されたルーバー層と、そのルーバー層の少なくとも片側表面に接着された透明保護層とを有し、遮光帯が、黒色又は有色樹脂と、フォトクロミック色素を含むことを特徴とするフォトクロミック機能付遮光フィルム。
【００１０】
（２）ルーバー層が第１ルーバー層と第２ルーバー層の２層からなり、そのルーバー層は、第１ルーバー層と第２ルーバー層が、第１ルーバー層の光透過帯及び遮光帯の方向が、第２ルーバー層の光透過帯及び遮光帯の方向と直交するように積層されていることを特徴とする（１）に記載のフォトクロミック機能付遮光フィルム。
【００１１】
（３）遮光帯の黒色又は有色樹脂は、黒色又は暗色の、熱硬化性シリコーン樹脂又は熱硬化性ポリウレタン樹脂であることを特徴とする（１）又は（２）に記載のフォトクロミック機能付遮光フィルム。
【００１２】
（４）フォトクロミック材料は、スピロラン系化合物、スピロオキサジン系化合物、ジアリールエテン系化合物、フルキド系化合物及びヘキサアリールビスイミダゾール系化合物からなる群から選択される１つ又は複数であることを特徴とする（１）〜（３）のいずれかに記載のフォトクロミック機能付遮光フィルム。  
【００１３】
（５）光透過帯は、透明の、熱硬化性シリコーン樹脂又は熱硬化性ポリウレタン樹脂であることを特徴とする（１）〜（４）のいずれかに記載のフォトクロミック機能付遮光フィルム。  
【００１４】
（６）光透過帯及び遮光帯は、安定剤、酸化防止剤、帯電防止剤、可塑剤のうちのいずれか１つ又は複数を含むことを特徴とする（１）〜（５）のいずれかに記載のフォトクロミック機能付遮光フィルム。  
【００１５】
（７）透明保護層は、アクリル樹脂又はポリエチレンテレフタレート樹脂からなる紫外線透過性の透明樹脂フィルムであることを特徴とする（１）〜（６）のいずれかに記載のフォトクロミック機能付遮光フィルム。  
【００１６】
（８）遮光帯は、３〜５０質量％のフォトクロミック色素を含むことを特徴とする（１）〜（７）のいずれかに記載のフォトクロミック機能付遮光フィルム。    
【００１７】
（９）ルーバー層、又は第１ルーバー層及び第２ルーバー層を、厚さ０．１５〜０．２５ｍｍ、透明性７０％以上、可視角３０°〜１２０°に形成し、光透過帯の巾を４０〜２６０μｍに形成するとともに、遮光帯の幅を１０〜５０μｍに形成し、透明保護層の厚さを０．１〜０．５ｍｍとした（１）〜（８）のいずれかに記載のフォトクロミック機能付遮光フィルム。
【発明の効果】
【００１８】
本発明によれば、（い）紫外線の少ない夜間における視認性を有し、（ろ）夜間に光の照光範囲を制御したり、部分照光を可能にし、（は）紫外線の多い所で、十分な遮光効果を発揮することができるフォトクロミック機能付遮光フィルムを提供することができる。
【図面の簡単な説明】
【００１９】
【図１】本発明の実施例１に係るフォトクロミック機能付遮光フィルムの構成を示す斜視図である。
【図２】図1のＡ−Ａ矢視断面図である。
【図３】本発明の実施例２に係るフォトクロミック機能付遮光フィルムの構成を示す断面図である。
【図４】本発明の実施例３に係るフォトクロミック機能付遮光フィルムの構成を示す斜視図である。
【発明を実施するための形態】
【００２０】
以下、添付図面を参照して、本発明を実施するための形態（以下、実施形態という。）について詳細に説明する。
【００２１】
（第１実施形態）
図１は、本発明の第１実施形態に係る実施例１のフォトクロミック機能付遮光フィルムの斜視図であり、図２は、図1のＡ−Ａ矢視断面図である。
【００２２】
図１、２に示すように、本発明の第１実施形態におけるフォトクロミック機能付遮光フィルム１は、ルーバー層１１０と、このルーバー層１１０の片側表面に積層して接着層１３０によって接着される透明保護層１２０と、ルーバー層１１０のもう１方の表面に形成された粘着層１４０とを備える。これらルーバー層１１０、透明保護層１２０、接着層１３０及び粘着層１４０は、それぞれ、可撓性を有するフィルム状又はシート状とし、ルーバー層１１０は、複数の遮光帯１１１と複数の光透過帯１１２とを横方向に互い違いに積層して形成するとともに、これら遮光帯１１１と光透過帯１１２の接合面をルーバー層１１０の表面に垂直で、互いに平行となるように等間隔に配置する。フォトクロミック機能付遮光フィルム１は、粘着層１４０によって、ＡＴＭ、照明器具、デジタル家電、車載用途等のディスプレイ（図示せず）上に着脱自在に粘着される。
【００２３】
遮光帯１１１は、少なくとも、黒色又は有色樹脂と、フォトクロミック色素を含む。
【００２４】
遮光帯１１１に含まれる黒色又は有色樹脂としては、黒色又は暗色の、熱硬化性シリコーン樹脂又は熱硬化性ポリウレタン樹脂を使用することができる。
【００２５】
黒色又は暗色の熱硬化性シリコーン樹脂又は熱硬化性ポリウレタン樹脂は、透明熱硬化性シリコーン樹脂組成物又は熱硬化性ポリウレタン樹脂組成物にカーボンブラック等の黒色又は暗色の顔料や染料添加して、黒色又は暗色の遮光性樹脂とすることができる。
【００２６】
一般的にフォトクロミック色素は、特定波長の光を受けると色が変わり、特定波長の光を一定時間受けない場合は、また本来の色に戻る特性を有している。遮光帯１１１に含まれるフォトクロミック色素としては、紫外線によって色の変わるスピロラン系化合物、スピロオキサジン系化合物、ジアリールエテン系化合物、フルキド系化合物、ヘキサアリールビスイミダゾール系化合物等から選択される１つ又は複数を使用することができる。
【００２７】
遮光帯１１１は、フォトクロミック色素を３〜５０質量％含有することが好ましい。フォトクロミック色素の含有量が３質量％未満であると、紫外線による変色効果が微弱となり、フォトクロミック色素の含有量が５０質量％を超えると、
熱硬化性のシリコーン樹脂又は熱硬化性ポリウレタン樹脂がフォトクロミック色素を固定することができなくなる。
【００２８】
光透過帯１１２の樹脂としては、透明の、熱硬化性シリコーン樹脂又は熱硬化性ポリウレタン樹脂を使用することができるが、遮光帯１１１との界面の接着性の点で、遮光帯１１１に用いた樹脂と同質の樹脂が好ましい。  
【００２９】
光透過帯１１２の巾（図２のＷ１）と遮光帯１１１の巾(図２のＷ２)は、透明性や平行光線透過率がＷ１／Ｗ２の比で決定されること、可視角θの範囲が光透過帯１１２の屈折率と幅、ルーバー層１１０の厚さ（図２のｔ）により決定されることを勘案して選択される。具体的には、ルーバー層の厚さｔは０．１５〜０．２５ｍｍ、光透過帯１１２の巾Ｗ１は４０〜２６０μｍに形成される。また、遮光帯１１１の巾Ｗ２は、人間の視力に悪影響を及ぼさないよう１０〜５０μｍ、好ましくは１０〜３０μｍに形成される。ｔ、Ｗ１、Ｗ２を係る数値とすれば、可視角θを３０°〜１２０°とし、黒色又は暗色樹脂と透明樹脂を適宜選択することにより、ルーバー層１１０に紫外線が入射していない状態で、ルーバー層１１０を透明性で平行光線透過率が７０％以上に形成することができる。
【００３０】
ルーバー層１１０に外光環境から紫外線が入射すると、紫外線の強度に応じて遮光帯１１１中に含まれるフォトクロミック色素が効率的に変色して光吸収程度が変化するので、ディスプレイの画像のコントラストは変化せず、良好な状態に保たれる。
【００３１】
透明保護層１２０としては、厚さ０．１〜０．５ｍｍ程度、好ましくは厚さ０．１〜０．３ｍｍ程度、より好ましくは０．１〜０．２ｍｍ程度のアクリル樹脂又はポリエチレンテレフタレート樹脂からなる紫外線透過性の光透過度６５％以上の高透明樹脂フィルムが使用される。このような材質・厚さとすれば、引張り強さ、引き裂き強度等の物理的強度に優れたシート又はフィルムを得ることができる。また、ルーバー層１１０と一体化することにより、打ち抜き加工等の二次加工性も良好となる。
【００３２】
ルーバー層１１０と透明保護層１２０は、接着層１３０を介して接着される。
【００３３】
接着層１３０は、プライマーを含有したシリコーン型等の透明接着剤からなり、ルーバー層１１０の接着面又は透明保護層１２０の接着面に１０〜３０μｍの厚さで印刷塗布される。
【００３４】
粘着層１４０は、例えば透明なシリコーンゴムシート等からなり、ルーバー層１１０の透明保護層１２０を接着した表面と対向する表面（図２の下側表面）に加硫して接着される。この透光性の粘着層１４０は、ディスプレイに粘着される貼り付け面が透光性粘着面であることが望ましい関係上、例えば鏡面状態のＰＥＴフィルムにカレンダーロール等を使用して厚さ１０〜３０μｍにコーティングされ、ルーバー層１１０の下側表面に転写されて加硫接着され、その後、ＰＥＴフィルムが剥離されることによりルーバー層１１０の下側表面と一体化される。粘着層１４０の情報表示体の液晶ディスプレイに対する粘着強度(ＪＩＳ Ｋ ６２５６)は、０．３０〜０．８０Ｎ／２５ｍｍ、好ましくは０．３０〜０．５０Ｎ／２５ｍｍに選択される。また、粘着層１４０の透光性粘着面における鏡面光沢度(ＪＩＳ Ｚ ８７４１における入射角度６０°の光沢度)は１２０％以上に選択される。
【００３５】
上記構成によれば、フォトクロミック機能付遮光フィルム１をディスプレイに粘着させると、明室環境では、太陽光や蛍光灯等の強度に追随してフォトクロミック色素が着色されるため、不要な外光を遮断して、コントラストを向上させることができ、あるいは夜間等の外光のない暗室環境においてはフォトクロミック色素が透明となるため、ディスプレイの表示のコントラストが損なわれることはない。従って、ディスプレイを手で覆ったり、フォトクロミック機能付遮光フィルム１を傾けたり、あるいはフォトクロミック機能付遮光フィルム１の向きを変えなくても、良好な視認性を有効に確保することができ、これを通じて操作性を大幅に向上させることが可能になる。フォトクロミック機能付遮光フィルム１のルーバー層１１０が遮光効果を発揮するので、適切な可視角の設定により、ディスプレイに表示される各種の情報を第三者が可視角より大きい角度で横から覗き見て読み取るのが不可能、あるいはきわめて困難になる。従って、第三者に情報の漏洩することがなく、覗き見を気にすることなく、安心して情報を把握したり、発信することができる。
【００３６】
（第２実施形態）
【００３７】
図４は、本発明の第２実施形態に係る実施例３のフォトクロミック機能付遮光フィルムの斜視図である。
【００３８】
図４に示したように、本発明の第２実施形態においては、ルーバー層３１０が第１ルーバー層３１０ａと第２ルーバー層３１０ｂとからなる他は、基本的な構成は第１実施形態と同様である。
【００３９】
ルーバー層３１０において、第１ルーバー層と第２ルーバー層は、第１ルーバー層の遮光帯３１１ａ及び光透過帯３１２ａが第２ルーバー層の遮光帯３１１ｂ及び光透過帯３１２ｂと直交するように配置されて、接着層３３０ｂを介して接着されている。
【００４０】
第１ルーバー層の遮光帯３１１ａ及び光透過帯３１２ａと、第２ルーバー層の遮光帯３１１ｂ及び光透過帯３１２ｂの寸法、構成は、それぞれ図２における第１実施形態の第１ルーバー層の遮光帯１１１及び光透過帯１１２と同様であるが、
第１ルーバー層の可視角と第２ルーバー層の可視角が異なるように設定して、ディスプレイの目的に応じて縦方向、横方向の可視角を変えることができる。
【実施例】
【００４１】
（実施例１）
図１は、実施例１のフォトクロミック機能付遮光フィルムの斜視図、図２は、図１のＡ−Ａ矢視断面図である。
【００４２】
まず、シリコーンゴムコンパウンドＫＥ−５８１Ｕ（信越化学工業社製  商品名）からなる厚さ０．２０ｍｍの高透明フィルムに、巾３０μｍの複数の平行な直線の溝を１２０μｍ離間させて、厚さ方向に貫通するように形成した。次に、シリコーンゴムコンパウンドＫＥ−９８１Ｕ（信越化学工業社製  商品名）に、黒色物質としてのカーボンブラックと、フォトクロミック色素としての、ヘキサアリールビスイミダゾール系化合物の１種であるｐｓｅｕｄｏｇｅｍ−Ｂｉｓ（３,３’,４,４’−ｔｅｔｒａｍｅｔｈｏｘｙｄｉｐｈｅｎｙｌｉｍｉｄａｚｏｌｅ）［２．２］
ｐａｒａｃｙｃｌｏｐｈａｎｅ（２）（関東化学社製  商品名）とを加えて均一に混練して遮光帯の黒色樹脂とし、これを上記の溝に充填した。
【００４３】
次に、黒色樹脂を溝に充填した高透明シリコーン樹脂フィルムを加熱加硫硬化させて、図１、２の遮光層１１１と光透過層１１２が相互に平行で、かつ交互に配置された厚さ０．２ｍｍのルーバー層１１０を作製した。このルーバー層１１０は、可視平行光線透過率が８０％以上、可視角が６０°のシリコーンゴムフィルムである。
【００４４】
次に、ルーバー層１１０の片側表面に、液状シリコーンゴムＫＥ‐１９３４Ａ／Ｂ（信越化学工業社製 商品名）とプライマーＡＰ‐１（信越化学工業社製 商品名）とからなるシリコーンの接着層１３０を、スクリーン印刷機を使用して約３０μｍの厚さに塗布し、このシリコーンの接着層１３０に、厚さ０．２ｍｍのアクリル樹脂のアクリライト＃０００（三菱レーヨン社製  商品名）からなる紫外線透過性かつ高透明性の透明保護層１２０を一体接着した。
【００４５】
そして、ポリエチレンテレフタレート（ＰＥＴ）フィルムの鏡面側に、液状シリコーンゴムＫＥ‐１９３４Ａ／Ｂ（信越化学工業社製
商品名）をスクリーン印刷機を使用して約３０μｍの厚さに塗布し、ルーバー層１１０のもう１方の表面に粘着層１４０を加熱加硫接着し、その後、ＰＥＴフィルムを剥離して鏡面状の透光性粘着面を形成して、フォトクロミック機能付遮光フィルム１を作製した。このシリコーンゴム、すなわち、粘着層１４０の透光性粘着面における鏡面光沢度(ＪＩＳ Ｚ ８７４１における入射角度６０°の光沢度)は１４０％であった。
【００４６】
こうしてフォトクロミック機能付遮光フィルム１を得たら、これを車載用ナビゲータの液晶ディスプレイの大きさに応じてカットして、遮光帯１１１及び光透過帯１１２の方向が上下方向になるように液晶ディスプレイに粘着し、液晶ディスプレイに情報を表示した。液晶ディスプレイに情報を表示したところ、液晶ディスプレイの横約３５°からは黒く見えるだけで液晶ディスプレイに表示された情報を把握することはできなかった。これに対し、液晶ディスプレイの正面からは液晶ディスプレイに表示された情報をきわめて容易、かつ鮮明に把握することができた。この液晶ディスプレイの表示は、昼間の明室環境で太陽光線があたって液晶ディスプレイに紫外線が照射されている場合も、夜間の暗室環境で外光がない場合も、同等の良好な視認性が確認された。
【００４７】
（実施例２）
図３は、実施例２のフォトクロミック機能付遮光フィルムの部分側面図である。
【００４８】
実施例２においては、図２における実施例１の粘着層１４０の代りに、図３に示したように、接着層２３０ｂ、透明保護層２２０ｂ及び粘着層２４０を配置したこと以外は、実施例１と同様である。
【００４９】
実施例２におけるルーバー層２１０は、実施例１のルーバー層１１０と同様であり、実施例２における透明保護層２２０ａ、２２０ｂは、実施例１の透明保護層１２０と同様であり、実施例２における接着層２３０ａ、２３０ｂは、実施例１の接着層１３０と同様であり、実施例２における粘着層２４０は、実施例１の粘着層１４０と同様である。
【００５０】
実施例１の場合、液晶ディスプレイ面と粘着層１４０の間に空気が入って、ルーバー層１１０の遮光層１１１の遮光性が十分に作用しなくなる恐れがある。これに対し、実施例２のように、粘着層２４０とルーバー層２１０の間に透明保護層２２０ｂを介在させると、液晶ディスプレイ面へのフォトクロミック機能付遮光フィルム２の粘着作業が容易となり、このような恐れは解消する。
【００５１】
（実施例３）
図４は、実施例３のフォトクロミック機能付遮光フィルムの斜視図である。
【００５２】
実施例３においては、実施例１の図２のルーバー層１１０を、図４に示すように、第１ルーバー層３１０ａと第２ルーバー層３１０ｂの２層からなるルーバー層３１０とし、第１ルーバー層３１０ａの厚さ及び第２ルーバー層３１０ｂの厚さをともに０．２ｍｍとしたこと以外は、実施例１と同様である。
【００５３】
実施例３における第１ルーバー層３１０ａと第２ルーバー層３１０ｂは、第１ルーバー層３１０aの遮光帯３１１a及び光透過層３１２ａが、第２ルーバー層３１０ｂの遮光帯３１１ｂ及び光透過層３１２ｂと直交するように配置されている。
実施例３における第１ルーバー層３１０ａと第２ルーバー層３１０ｂの寸法、構成は、それぞれ実施例１の図２のルーバー層１１０と同様である。
【００５４】
実施例３における透明保護層３２０は、実施例１の透明保護層１２０と同様であり、実施例３における接着層３３０ａ、３３０ｂは、実施例１の接着層１３０と同様であり、実施例３における粘着層３４０は、実施例１の粘着層１４０と同様である。
【００５５】
こうしてフォトクロミック機能付遮光フィルム３を得たら、これを車載用ナビゲータの液晶ディスプレイの大きさに応じてカットして、第１ルーバー層３１０ａの遮光帯３１１ａ及び光透過帯３１２ａの方向が上下の縦方向になるように液晶ディスプレイに粘着し、液晶ディスプレイに情報を表示した。この場合、第２ルーバー層３１０ｂの遮光帯３１１ｂ及び光透過帯３１２ｂは左右の横方向を向く。液晶ディスプレイに情報を表示したところ、液晶ディスプレイの縦約３５°及び横約３５°からは黒く見えるだけで液晶ディスプレイに表示された情報を把握することはできなかった。これに対し、液晶ディスプレイの正面からは液晶ディスプレイに表示された情報をきわめて容易、かつ鮮明に把握することができた。この液晶ディスプレイの表示は、昼間の明室環境で太陽光線があたって液晶ディスプレイに紫外線が照射されている場合も、夜間の暗室環境で外光がない場合も、同等の良好な視認性が確認された。
【００５６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５７】
１、２、３                        フォトクロミック機能付遮光フィルム
１１０                            ルーバー層
１１１                            遮光帯
１１２                            光透過帯
１２０                            透明保護層
１３０                            接着層
１４０                            粘着層
２１０                            ルーバー層
２１１                            遮光帯
２１２                            光透過帯
２２０ａ、２２０ｂ                透明保護層
２３０ａ、２３０ｂ                接着層
２４０                            粘着層
３１０                            ルーバー層
３１０ａ                          第１ルーバー層
３１０ｂ                          第２ルーバー層
３１１ａ、３１１ｂ                遮光帯
３１２ａ、３１２ｂ                光透過帯
３２０                            透明保護層
３３０ａ、３３０ｂ                接着層
３４０                            粘着層
【図１】
2012163905.tif 000003
【図２】
2012163905.tif 000004
【図３】
2012163905.tif 000005
【図４】
2012163905.tif 000006